(57)【要約】【課題】所望のページで分割した画像データのそれぞれを画像形成した記録媒体を、各々ステイプルして出力できるようにして作業効率を向上することができる画像形成装置を提供すること。【解決手段】画像データを所望のページで分割し、分割したそれぞれの画像データを原稿束とするための区切り情報の入力が可能な第１の入力手段と、前記画像データを前記区切り情報に基づいて分割し、分割したそれぞれの画像データを原稿束として該原稿束毎に記録媒体に画像形成し、ステイプル手段で前記原稿束が画像形成された前記記録媒体毎にステイプルする制御を行う制御手段とを備えることを特徴とする。【選択図】　　　図６
2004051232.tif 000002
【特許請求の範囲】
【請求項１】
画像デ−タを記憶手段に記憶し、前記画像データに基づいて記録媒体に画像形成する画像形成装置において、
前記記録媒体をステイプルするステイプル手段と、
前記画像データを所望のページで分割し、分割したそれぞれの画像データを原稿束とするための区切り情報の入力が可能な第１の入力手段と、
前記画像データを前記区切り情報に基づいて分割し、分割したそれぞれの画像データを原稿束として該原稿束毎に前記記録媒体に画像形成し、前記ステイプル手段で前記原稿束が画像形成された前記記録媒体毎にステイプルする制御を行う制御手段とを備えることを特徴とする画像形成装置。
【請求項２】
前記記録媒体の積載位置をずらして積載することが可能な排紙トレイを更に備え、
前記制御手段は、更に前記ステイプルされた記録媒体の前記排紙トレイへの積載位置を記録媒体毎にずらすように制御をする請求項１に記載の画像形成装置。
【請求項３】
出力する部数の入力が可能な第２の入力手段を更に備え、
前記制御手段の前記画像形成は、分割したそれぞれの画像データを原稿束として、まず前記原稿束をそれぞれ１部ずつ前記記録媒体に行なう画像形成を更に前記第２の入力手段で入力された部数に達するまで繰り返して行なわれる請求項１に記載の画像形成装置。
【請求項４】
前記記録媒体の積載位置をずらして積載することが可能な排紙トレイを更に備え、
前記制御手段は、更に前記ステイプルされた記録媒体の前記排紙トレイへの積載位置を、前記繰り返す部数の各部が積載される度にずらすように制御をする請求項３に記載の画像形成装置。
【請求項５】
出力する部数の入力が可能な第２の入力手段を更に備え、
前記制御手段の画像形成は、分割したそれぞれの画像データを原稿束として、前記記録媒体への前記原稿束の画像形成を該原稿束毎に前記第２の入力手段で入力された部数に達するまで繰り返して行なわれる請求項１に記載の画像形成装置。
【請求項６】
前記記録媒体の積載位置をずらして積載することが可能な排紙トレイを更に備え、
前記制御手段は、更に前記ステイプルされた記録媒体の前記排紙トレイへの積載位置を、前記記録媒体への前記原稿束の画像形成を該原稿束毎に前記第２の入力手段で入力された部数に達するまで繰り返して積載した後に、ずらすように制御をする請求項５に記載の画像形成装置。
【請求項７】
画像デ−タを記憶手段に記憶し、前記画像データに基づいて記録媒体に画像形成する画像形成装置において、
前記記録媒体をステイプルするステイプル手段と、
前記画像データを所望のページで分割し、分割したそれぞれの画像データを原稿束とするための区切り情報の入力が可能な第１の入力手段と、
出力する部数の入力が可能な第２の入力手段と、
出力形態を選択するための入力が可能な第３の入力手段と、
前記画像データを前記区切り情報に基づいて分割し、分割したそれぞれの画像データを原稿束として、前記第３の入力手段への入力で選択された出力形態に応じ、まず該記原稿束をそれぞれ１部ずつ前記記録媒体に行なう画像形成を更に前記第２の入力手段で入力された部数に達するまで繰り返し、または、前記記録媒体への前記原稿束の画像形成を該原稿束毎に前記第２の入力手段で入力された部数に達するまで繰り返して行ない、前記原稿束が画像形成された前記記録媒体毎にステイプルする制御を行う制御手段を備えることを特徴とする画像形成装置。
【請求項８】
前記記録媒体の積載位置をずらして積載することが可能な排紙トレイを更に備え、
前記制御手段は、更に前記ステイプルされた記録媒体の前記排紙トレイへの積載を前記第３の入力手段への入力で選択された出力形態に応じ、分割したそれぞれの画像データを原稿束として、まず該記原稿束をそれぞれ１部ずつ前記記録媒体に行なう画像形成を更に前記第２の入力手段で入力された部数を繰り返す場合には、前記繰り返される部数の各部が積載される度に積載位置をずらすようにし、または、分割したそれぞれの画像データを原稿束として、前記記録媒体への前記原稿束の画像形成を該原稿束毎に前記第２の入力手段での入力に基づく部数に達するまで繰り返して行なう場合には、前記記録媒体への前記原稿束の画像形成を該原稿束毎に前記第２の入力手段で入力された部数繰り返して積載した後に、積載位置をずらすように制御をする請求項７に記載の画像形成装置。
【請求項９】
前記分割した画像データの前記原稿束のそれぞれについてステイプルの実施または不実施のいずれか１つを選択するための第４の入力手段を更に備え、
前記制御手段は、前記第４の入力手段への入力に基づいて、ステイプルの実施と入力された前記原稿束が画像形成された前記記録媒体について、前記記録媒体毎にステイプルする制御を行う請求項１乃至請求項８に記載の画像形成装置。
【請求項１０】
複数枚の原稿から該原稿形成された画像を一枚ずつ順次読み取ることが可能な画像読取部を備え、
前記第１の入力手段は、前記画像読取部で前記複数枚の原稿の区切りを示す目印を読取り、その読み取った結果に基づいて前記区切り情報を入力する請求項１乃至請求項９のいずれかに記載の画像形成装置。
【請求項１１】
前記目印は、前記複数枚の原稿の間に挿入された特殊紙、または、前記原稿に付された識別マークである請求項１０に記載の画像形成装置。
【請求項１２】
通信可能に接続された情報処理装置を備え、
前記情報処理装置は、少なくとも前記第１の入力手段、前記第２の入力手段、前記第３の入力手段、または、前記第４の入力手段のいずれか１つを含む請求項１乃至請求項９のいずれかに記載の画像形成装置。
【発明の詳細な説明】
【０００１】
【発明の属する技術分野】
本発明は、記録媒体に記憶手段に記憶した画像データに基づいて画像形成を行い、少なくとも紙等の記録媒体をステイプルするステイプル手段を備える画像形成装置に関するものである。
【０００２】
【従来の技術】
近年、画像形成装置として、原稿をＣＣＤ等の撮像素子により読み込み、画像をデジタル化して一時的に記憶手段に記憶し、または、接続された外部の情報処理装置からデジタル化された画像データを受信して一時的に記憶手段に記憶し、該記憶手段に記憶された画像データを出力して画像形成を行うデジタル方式の画像形成装置が製品化されるに至っている。このようなデジタル方式の画像形成装置においては、記憶手段に画像データを記憶できることから記憶手段を活用した各種の機能が提案されている。
【０００３】
前記機能の一つとして、原稿から読み込んだ画像データと画像形成上の設定デ−タ（動作環境条件）を記憶手段に記憶し、「ＪＯＢ」として登録できるようになっている。この「ＪＯＢ」とは、記憶手段に記憶された画像データと設定デ−タに基づき、画像形成の出力を実行するためのひとまとまりの処理単位である。
なお、画像データとは、画像読取り手段により読み取った画像、または、接続された外部の情報処理装置から受信した画像のデジタル化されたデータのことであり、設定データとは、画像データに基づいて画像を形成する際の制御条件を示すデータのことである。
【０００４】
また、このようなＪＯＢとして画像データを記憶することによって、複数部の出力要求があった場合に画像データを繰り返して画像形成し出力することが可能となった。従来の画像形成装置の場合では、複数部を丁合して出力する要求があった場合には、複数枚の排紙トレイを有するソータを使用していたが、前述のように画像データを繰り返して画像形成し出力することが可能となったことによりソータを使用する必要がなくなり、ステイプル機能、パンチ機能、オフセットして（位置をずらして）出力可能な排紙トレイを有するフィニッシャー（複写後処理部）が使用されるようになった。
【０００５】
ソータの場合には、転写紙を複数枚の排紙トレイに排紙しなければならないので複数の排紙口や、複数の排紙口へ搬送するための搬送路や搬送路を切り替える切り替え手段、また、各排紙トレイ上に出力され積載された転写紙をステイプルするためのステイプル移動手段など複雑な構造を必要としたが、フィニッシャーは、主に転写紙搬送手段、ステイプル手段、パンチ手段、一時的に転写紙を積載してステイプル処理やパンチ処理を行うための処理ステージおよび処理を行った後に排紙するトレイという構成で作業を行なうことができる。つまり、複数部を丁合し且つステイプル処理を行って出力する要求があった場合には、画像データを１部毎処理ステージに出力してステイプル処理を行って要求の部数をトレイに出力して要求に応じることができる。
【０００６】
【発明が解決しようとする課題】
しかしながら、上述のようなフィニッシャーを有する画像形成装置で複数枚の原稿を分割して複数部ステイプル処理を行って出力しようとする場合には、前述したＪＯＢの単位でしかステイプル処理が行えなかった為に作業者が原稿を分割して、それぞれを別々に設定データを入力しつつ読取作業を行って出力させなければならなかった。また、作業者はこの分割作業のほかに、少なくとも最後の原稿のセットと読取開始まで画像形成装置を離れることができない為、作業者にとって非効率である。一方、画像形成装置は長時間占有されることになり、装置の利用効率を低下させる一因となっていた。外部の情報処理装置を使用する場合は、画像データを分割してそれぞれのファイルをわざわざ作成して送信し、分けたファイルを管理しなければならなかった。
【０００７】
またさらに、上述のようにして得た出力は、分割された原稿毎に複数部が積載され出力されているため、例えばそれぞれを別々の部署に配るような場合には問題ないが、分割された原稿のそれぞれの出力１部ずつを丁合して配布したいという場合には、作業者が多大な労力と時間を費やして仕分けをしなければならなかった。
【０００８】
そこで、一つのＪＯＢ中の複数枚の原稿を細分割してステイプルを行いたいという要求や、加えて高度な仕分けを行いたいという要求があった。
【０００９】
ところで、一つのＪＯＢ中の複数枚の原稿を分割する画像形成装置については、特開２００１−２６５１６４に原稿の識別マークを読み取って区切りを検知する方法が記載されているが、これは出力物にナンバリングやインターシートなどの目印を与えるものであって、細分割した上でのステイプルや高度な仕分けをするためのものではない。
【００１０】
またここで、ソータを使用した場合に触れておくが、ソータの場合にはステイプル処理をするときに以前の出力がトレイ上にあるとステイプル処理できないため、その都度トレイから取り出す必要があり、フィニッシャーより煩雑な作業が要求される。
【００１１】
本発明は、上記事情に鑑みてなされたものであり、その目的とするところは、所望のページで分割した画像データのそれぞれを画像形成した記録媒体を、各々ステイプルして出力できるようにして作業効率を向上することができる画像形成装置を提供することにある。
【００１２】
さらに、前記各々ステイプルされた記録媒体を複数部出力する場合に、ステイプルされた記録媒体を所望の順序で仕分けして出力し、作業効率をさらに向上することができる画像形成装置を提供することにある。
【００１３】
【課題を解決するための手段】
本発明は上記課題を解決するために以下の手段をとった。
【００１４】
上記目的を達成するために、請求項１記載の発明は、画像デ−タを記憶手段に記憶し、前記画像データに基づいて記録媒体に画像形成する画像形成装置において、前記記録媒体をステイプルするステイプル手段と、前記画像データを所望のページで分割し、分割したそれぞれの画像データを原稿束とするための区切り情報の入力が可能な第１の入力手段と、前記画像データを前記区切り情報に基づいて分割し、分割したそれぞれの画像データを原稿束として該原稿束毎に前記記録媒体に画像形成し、前記ステイプル手段で前記原稿束が画像形成された前記記録媒体毎にステイプルする制御を行う制御手段とを備えることを特徴としている。
【００１５】
また、請求項２記載の発明は、前記記録媒体の積載位置をずらして積載することが可能な排紙トレイを更に備え、前記制御手段は、更に前記ステイプルされた記録媒体の前記排紙トレイへの積載位置を記録媒体毎にずらすように制御をすることを特徴としている。
【００１６】
また、請求項３記載の発明は、出力する部数の入力が可能な第２の入力手段を更に備え、前記制御手段の前記画像形成は、分割したそれぞれの画像データを原稿束として、まず前記原稿束をそれぞれ１部ずつ前記記録媒体に行なう画像形成を更に前記第２の入力手段で入力された部数に達するまで繰り返して行なわれることを特徴としている。
【００１７】
また、請求項４記載の発明は、前記記録媒体の積載位置をずらして積載することが可能な排紙トレイを更に備え、前記制御手段は、更に前記ステイプルされた記録媒体の前記排紙トレイへの積載位置を、前記繰り返す部数の各部が積載される度にずらすように制御をすることを特徴としている。
【００１８】
また、請求項５記載の発明は、出力する部数の入力が可能な第２の入力手段を更に備え、前記制御手段の画像形成は、分割したそれぞれの画像データを原稿束として、前記記録媒体への前記原稿束の画像形成を該原稿束毎に前記第２の入力手段で入力された部数に達するまで繰り返して行なわれることを特徴としている。
【００１９】
また、請求項６記載の発明は、前記記録媒体の積載位置をずらして積載することが可能な排紙トレイを更に備え、前記制御手段は、更に前記ステイプルされた記録媒体の前記排紙トレイへの積載位置を、前記記録媒体への前記原稿束の画像形成を該原稿束毎に前記第２の入力手段で入力された部数に達するまで繰り返して積載した後に、ずらすように制御をすることを特徴としている。
【００２０】
また、請求項７記載の発明は、画像デ−タを記憶手段に記憶し、前記画像データに基づいて記録媒体に画像形成する画像形成装置において、前記記録媒体をステイプルするステイプル手段と、前記画像データを所望のページで分割し、分割したそれぞれの画像データを原稿束とするための区切り情報の入力が可能な第１の入力手段と、出力する部数の入力が可能な第２の入力手段と、出力形態を選択するための入力が可能な第３の入力手段と、前記画像データを前記区切り情報に基づいて分割し、分割したそれぞれの画像データを原稿束として、前記第３の入力手段への入力で選択された出力形態に応じ、まず該記原稿束をそれぞれ１部ずつ前記記録媒体に行なう画像形成を更に前記第２の入力手段で入力された部数に達するまで繰り返し、または、前記記録媒体への前記原稿束の画像形成を該原稿束毎に前記第２の入力手段で入力された部数に達するまで繰り返して行ない、前記原稿束が画像形成された前記記録媒体毎にステイプルする制御を行う制御手段を備えることを特徴としている。
【００２１】
また、請求項８記載の発明は、前記記録媒体の積載位置をずらして積載することが可能な排紙トレイを更に備え、前記制御手段は、更に前記ステイプルされた記録媒体の前記排紙トレイへの積載を前記第３の入力手段への入力で選択された出力形態に応じ、分割したそれぞれの画像データを原稿束として、まず該記原稿束をそれぞれ１部ずつ前記記録媒体に行なう画像形成を更に前記第２の入力手段で入力された部数を繰り返す場合には、前記繰り返される部数の各部が積載される度に積載位置をずらすようにし、または、分割したそれぞれの画像データを原稿束として、前記記録媒体への前記原稿束の画像形成を該原稿束毎に前記第２の入力手段での入力に基づく部数に達するまで繰り返して行なう場合には、前記記録媒体への前記原稿束の画像形成を該原稿束毎に前記第２の入力手段で入力された部数繰り返して積載した後に、積載位置をずらすように制御をすることを特徴としている。
【００２２】
また、請求項９記載の発明は、前記分割した画像データの前記原稿束のそれぞれについてステイプルの実施または不実施のいずれか１つを選択するための第４の入力手段を更に備え、前記制御手段は、前記第４の入力手段への入力に基づいて、ステイプルの実施と入力された前記原稿束が画像形成された前記記録媒体について、前記記録媒体毎にステイプルする制御を行うことを特徴としている。
【００２３】
また、請求項１０記載の発明は、複数枚の原稿から該原稿形成された画像を一枚ずつ順次読み取ることが可能な画像読取部を備え、前記第１の入力手段は、前記画像読取部で前記複数枚の原稿の区切りを示す目印を読取り、その読み取った結果に基づいて前記区切り情報を入力することを特徴としている。
【００２４】
また、請求項１１記載の発明は、前記目印は、前記複数枚の原稿の間に挿入された特殊紙、または、前記原稿に付された識別マークであることを特徴としている。
【００２５】
また、請求項１２記載の発明は、通信可能に接続された情報処理装置を備え、前記情報処理装置は、少なくとも前記第１の入力手段、前記第２の入力手段、前記第３の入力手段、または、前記第４の入力手段のいずれか１つを含むことを特徴としている。
【００２６】
【発明の実施の形態】
以下では、本発明の実施の形態について図を参照しつつ説明する。図１は、本実施形態に係る画像形成装置としての複写装置の構成例を示す概要図である。図１において、複写装置は、大きく分けて画像読取部１０、画像書込部２０、画像形成部３０、転写紙搬送部４０、転写紙排紙部５０、及び転写紙反転部６０から構成され、さらに装置本体に外付けされる形で、外部給紙手段４１Ｌと複写後処理部７０とが設けられている。
【００２７】
画像読取部１０は、原稿Ｓに記載されている文字列又は画像を光源の照射光によって光情報として読み取り、これを電気情報に変換する部位である。
【００２８】
原稿Ｓは、その画像が形成されている原稿面がプラテンガラス１１表面に対向するように該プラテンガラス１１上に直接に載置される。光源１２は、この載置された原稿面に対し光を投射する。原稿面に達した光は、その画像情報を含む光情報となって当該面を反射しミラー１３に到達する。なお、光源１２及びミラー１３は、原稿面全体を走査するようプラテンガラス１１面に沿って移動可能な構成となっている。
【００２９】
また、本実施形態における複写装置は、図１に示すように、自動両面原稿搬送部１００を備えている。自動両面原稿搬送部１００は、原稿載置台１０１に複数積層された原稿Ｓの束について、その一枚を分離して給送ローラ１００ａ及び１００ｂにより送り出し、これをローラ１００ｃを介してプラテンガラス１１Ａ上に供給するようになっている。自動両面原稿搬送部１００で原稿Ｓを搬送しながら該原稿Ｓの画像を読み取る際には、プラテンガラス１１Ａの下方に、光源（１２Ａ）と各ミラー（１３Ａ、１４Ａ１、１４Ａ２）を移動させて固定する。これらの構成により、上記と同様、複数の原稿Ｓの束に関し、その原稿面を連続して読み取ることができる。
【００３０】
上記の他、図１に示す自動両面原稿搬送部１００及びプラテンガラス１１Ａ等の構成においては、原稿Ｓの表裏両面を読み取ることも可能である。この場合においては、その一方の面を光源１２Ａにより読み取り、該読み取りが完了すると、反転ローラ１０２により原稿Ｓを一旦図中右方向に送り出し、その後反転ローラ１０２を反転させ当該原稿Ｓを図中左方向に搬送しつつそれをローラ１００ｃによって巻き取って、原稿Ｓの他方の面をプラテンガラス１１Ａ面に対向させるようにする。なお、自動両面原稿搬送部１００から供給され、光源１２Ａにより読み取られた原稿Ｓは、排紙皿１０３に順次積層されていく。
【００３１】
さて、上記したように光源１２又は１２Ａにより読み取られた原稿面に係る光情報は、以下、ミラー１４１、１４２又は１４Ａ１、１４Ａ２で反射を繰り返し、結像光学系１６を介してＣＣＤ撮像装置１７に達する。ＣＣＤ撮像装置１７には、光電変換機能を有する複数の画素が配列された光電面（不図示）を有しており、これら複数の画素によって前記原稿面の画像情報を含む光信号が受け取られ、これが電気信号に変換されることになる。
【００３２】
画像書込部２０は、上記のようにして得られた電気信号に基づき制御したレーザビームを、後述する感光体ドラム３１上に照射し、該感光体ドラム３１上に静電潜像を形成する。
【００３３】
原稿面に係る光情報が変換されその画像情報を含む前記電気情報は、図示しない半導体レーザから発振するレーザビームを制御するために用いられる。前記電気情報に基づいて制御されレーザビームは、駆動モータ２１にその中心部が接続され回転可能とされたポリゴンミラー２２に照射され、ここを反射した該レーザビームは反射ミラー２３を介して感光体ドラム３１上に照射される。ここに、ポリゴンミラー２２がレーザビームを反射しつつ回転することにより、感光体ドラム３１上では、該レーザビームの照射が、その軸方向に関して走査されながら行われることになる。このレーザビームの照射により、感光体ドラム３１上には、前記電気情報に基づいた静電潜像が形成される。つまり、原稿の画像情報に基づいた静電潜像が形成される。
【００３４】
画像形成部３０は、上記感光体ドラム３１上に形成される静電潜像を基にして記録媒体としての転写紙Ｐ上に画像を形成する部位である。
【００３５】
感光体ドラム３１には、上述したようにレーザビームの照射による静電潜像が形成されるが、その前提作業として当該感光体ドラム３１の表面全体を帯電部３２によって一様に帯電させておく。現像部３３は、前記静電潜像に対して帯電したトナーを付着させてこれを可視化する。転写部３４では、別途給送されてくる転写紙Ｐ面に対して、前記トナーを転写・付着させ、該転写紙Ｐ面上にトナー像を形成する。
【００３６】
以下、感光体ドラム３１上に対しては、分離部３５が該感光体ドラム３１に吸着した転写紙Ｐを分離し、クリーニング部３６が前記転写作用後感光体ドラム３１上に残ったトナーを清掃して清浄面を現出し、再び帯電部３２による一様帯電及びレーザビーム照射による静電潜像の形成が行われ得るようにする。一方、転写紙Ｐについては搬送機構３７によって定着部３８へと送られる。定着部３８は、熱ローラ３８ａ及び３８ｂによって転写紙Ｐに熱及び圧力を加え、前記転写されたトナー像の定着を図って、画像形成がなされる。転写紙Ｐはこの後、転写紙排紙部５０に設けられた数個のローラを介して、複写装置外部へと排紙される。この時点において、原稿面に係る画像の、転写紙Ｐ面に対する「複写」が完了することになる。
【００３７】
ちなみに、本実施形態における複写装置においては、上記した感光体ドラム３１から転写紙Ｐへのトナー像の転写を、転写紙Ｐの一方の面のみへ行うのではなく、その他方の面に対しても実施することが可能である。この場合においては、片面複写を終えた転写紙Ｐは転写紙反転部６０へと搬送される。ガイド部６１は、この転写紙反転部６０と上記転写紙排紙部５０とに関する転写紙Ｐの搬送経路切換を行う。ガイド部６１が転写紙Ｐを図中下方に搬送するように切り換えられると、該転写紙Ｐは、反転ローラ６２を介して反転部６３へと搬出される。次に、転写紙Ｐが反転部６３へ所定量送出された状態において、反転ローラ６２を反転させ、該転写紙Ｐを反転搬送経路６４へと搬送する。以下、転写紙Ｐは当該経路６４を通過して、再び感光体ドラム３１の上流側に到達する。このとき、感光体ドラム３１面と対向する転写紙Ｐ面は、転写紙反転部６０を通過する前に転写された面とは、別の面となっている。なお、一般的には、このように反転された転写紙Ｐに実際に画像形成を行う際、感光体ドラム３１上には前記画像書込部２０によって新たな画像情報の書き込みをなしておく。
【００３８】
転写紙搬送部４０は、上記した画像形成部３０とりわけその感光体ドラム３１に対して転写紙Ｐを搬送する。
【００３９】
転写紙Ｐは、段状に構成された複数の給紙カセット４１（図１では、４１１、４１２、４１３の三つの給紙カセット）内の各々に設けられたトレイ４２上に積層・載置される。これら給紙カセット４１は、上記画像形成部３０に転写紙Ｐを送出する際、すなわち画像形成する際には装置本体内に納まり、転写紙Ｐを補充する際には前記装置本体から引き出すことが可能なように構成されている。また、給紙カセット４１１、４１２及び４１３の各々については、例えば第一の給紙カセット４１１には「Ａ４」、第二の給紙カセット４１２には「Ａ３」等、サイズの異なる転写紙Ｐを対応させて収納したり、また、第一の給紙カセット４１１にはＡ４サイズの厚紙、第二の給紙カセット４１２には同サイズの薄紙等、紙種の別毎に対応させて、各々収納しておくことが可能である。
【００４０】
このような状態において、複写実行時に転写紙Ｐに関するサイズの指定や紙種の指定があれば、それに従って、対応する給紙カセットから転写紙Ｐが繰り出され、図１に示す複数の搬送ローラ等の構成によって前記画像形成部３０に向け、転写紙Ｐが搬送されることになる。
【００４１】
また、本実施形態においては、上記したような構成となる給紙カセット４１の他、転写紙Ｐを給紙する手段として、図１に示すように、手差トレイ４１Ｈと、大量の転写紙Ｐを予めストックしておくことが可能な外部給紙手段４１Ｌ（いわゆるＬＣＴ）とが設けられている。前者によれば、特別な転写紙やＯＨＰ等への画像形成を特別に行うような場合に対応することが可能となり、後者では大量の転写紙Ｐに対する連続した画像形成を行うことが可能となる。
【００４２】
なお、図１においては、三つの給紙カセットに手差トレイ４１Ｈ及び外部給紙手段４１Ｌの都合５つを設ける場合を示したが、本発明において、設け得る給紙手段の数は、原理的に限定されるものではない。すなわち、給紙手段はいくつ設けてもよい。
【００４３】
複写後処理部７０は、上記転写紙搬送部４０、画像形成部３０を通過（表裏両面複写の場合には、転写紙反転部６０をも通過）し、画像が形成された転写紙Ｐについて、その後処理を実施する。
【００４４】
この複写後処理部７０は、より具体的に、画像が形成された後の転写紙Ｐに関し、ソーティング、ステイプル、パンチ等の各種処理を実施する。
【００４５】
ここに、ソーティングとは、連続的に排紙される転写紙Ｐを所望の順序で並べ、あるいは当該順序に従って積層していくような処理である。例えば、上記自動両面原稿搬送部１００を利用する場合において、その原稿載置台１０１上に載置される原稿束の積層順序と同様となるように、設定部数の転写紙Ｐを所望の順序に排紙する場合が該当する。なお、このような場合においては、排紙位置を順次変更していくような処理を実施する等が可能であり、複写後処理部７０がその動作を行う。
【００４６】
また、ステイプルとは、複数枚が積層された画像形成済みの転写紙Ｐに関し、その所定の位置に綴じ具を設け、当該転写紙Ｐを装丁する作業のことである。さらに、パンチとは、複数枚積層された転写紙Ｐの所定位置に、後に綴じ紐等を通すための装丁用の穴を形成する作業のことである。
【００４７】
複写後処理部７０は、ステイプルやパンチ等の処理を行う様に図３に示すように、主に画像形成部３０を通過（表裏両面複写の場合には、転写紙反転部６０をも通過）した転写紙Ｐを受け取り、搬送する複写後搬送部７１と、ステイプル手段７５と、図示しないパンチ手段および図示しない各駆動手段からなる。
【００４８】
複写後搬送部７１は、複数の搬送ローラ７１３と搬送路を切り替える切り替えゲート７１１、７１２と搬送路を形成する複数のガイド板を備え、後処理を不要とする転写紙Ｐを収納するための共通トレイ７２、ステイプル処理およびパンチ処理を行うために転写紙Ｐを積載する処理ステージ７４および排紙トレイ７３に搬送することが可能である。
【００４９】
排紙トレイ７３は、矢印Ａ方向に移動して多量の転写紙Ｐを積載可能で、さらに図３手前〜奥方向に移動可能で、転写紙Ｐを相互の位置を後述の制御手段１の指示によりずらして積載ことが可能である。これにより作業者は積載された転写紙Ｐを用意に取り分けることが可能となる。
【００５０】
処理ステージ７４は、２本のベルト搬送ローラ７４２に搬送ベルト７４１を懸架して構成され、ステイプル処理、パンチ処理を行うために転写紙Ｐ積載可能であり、搬送ローラ７４２を回転して搬送ベルト７４１を回動させ処理後の転写紙Ｐを排紙ローラ方向に搬送可能となっている。
【００５１】
ステイプル手段７５は、図示しない保持手段で移動可能に保持され、図３手前〜奥方向に移動して所望の位置にステイプル位置を可変にすることによって変更できる。
【００５２】
次に、上記機構的構成となる複写装置に関する電気的な装置構成例について、図２を参照して説明する。上記した画像読取部１０、画像書込部２０、画像形成部３０、転写紙搬送部４０、転写紙反転部６０、複写後処理部７０、および各種機構等とパソコン等外部の情報処理装置９０から画像情報を受信可能に接続するインターフェイス８０、ＪＯＢにおける設定データ等が入力可能な操作表示パネル２、記憶手段３、制御手段１とが設けられていて、各部は、制御手段１によって統括、制御されるようになっている。
【００５３】
操作表示パネル２の具体的構成としては、例えば操作の受付けを行うタッチパネル２ａとパターンや文字の表示を行う表示器としてのＬＣＤ２ｂとが重ねて配置されてなり、ＬＣＤに表示されている位置でタッチパネルを押して操作することで、複写濃度や倍率等設定データの設定の入力等を行うことができる。また、後述のステイプルに関わる画像データを所望のページで分割し、分割したそれぞれの画像データを原稿束とするための区切り情報の入力が可能な第１の入力手段、出力する部数の入力が可能な第２の入力手段としての機能を有している。
【００５４】
制御手段１は、ＣＰＵやＲＯＭ等で構成されており、予めＲＯＭ等に記憶されている全体を統括しながら各部を制御するためのプログラムにしたがって動作する。後述の各部のフローは、このプログラムに含まれる。
【００５５】
また、記憶手段３は、ＲＡＭ等により少なくとも上記画像読取部１０によって読み込まれた原稿面に係わる画像情報等を一時記憶させておく場合等に利用される。また、さらにハ−ド・ディスク・ドライブ等の不揮発性の記憶手段を設けて電源断時でもＪＯＢを記憶できるようにしてもよい。
【００５６】
ここで、「ＪＯＢ」とは、原稿Ｓから読み込んだ画像データと、該画像デ−タに関する画像形成を実行する上で、画像形成装置を駆動するために必要となる動作環境条件である設定デ−タとにより構成された「１単位」の画像情報として定義される。
【００５７】
画像デ−タとは、原稿Ｓの原稿面に記載されている画像（文字、絵柄等）をデジタルデータ化したものある。また、設定デ−タとは、換言すれば、上記画像デ−タを出力する際の画像形成装置に関する制御条件のことである。具体的には、原稿Ｓ又は転写紙Ｐに関するＡ４／Ｂ５等のサイズに係わる区別情報、同じく普通紙／厚紙／薄紙（種別）に関する区別情報、また、画像を転写紙Ｐ上に形成する際の当該画像の倍率又は画像濃度に係わる情報等が含まれる。また、さらに本実施の形態においては、ステイプルに関わる情報として、操作表示パネル２の説明に述べた区切り情報、出力する部数等の情報を含む。
【００５８】
以下では上記構成例となる複写装置に基づく、本実施形態の作用効果について説明を行う。図１０に設定データに区切り情報に基づくステイプル処理に関するフローチャートを示す。図１０を用いて本発明のステイプル処理等後処理に関する概略を説明する。まず、作成したＪＯＢを区切り情報に基づいて画像データを分割して原稿束とする（Ｓ５０１）。そして、画像形成される転写紙Ｐに「束最終紙」、「部数最終紙」、「ＪＯＢ最終紙」といった属性を付与し、画像形成を行い（Ｓ５０２）、付与した属性に基づいてステイプル処理等の後処理を行う（Ｓ５０３）。また、画像形成をする際に出力する部数が複数部の場合には原稿束を部数設定に基づき後述するように複数部の画像形成を行なう。このようにして所望のページ毎にステイプル処理等の後処理を行って出力する。以下、さらに詳細に述べる。
【００５９】
まず、ステップＳ５０１では、まず、自動両面原稿搬送部１００に例えばＡ１，Ａ２，Ａ３，Ｂ１，Ｂ２，Ｃ１，Ｃ２からなる原稿Ｓをセットし、操作表示パネル２から区切り情報等を含む設定データを入力して、画像読取部１０で画像データの読取りを実行し、ＪＯＢを作成する。区切り情報の入力は、１例として、例えば操作表示パネル２に図１１に示すような画面を表示させて、「束最終紙」となるページを入力して行なう。例として、操作表示パネル２に表示された「３」を押下し、続いて、例えば「▼」を押下して「，」を入力し、さらに「５」を押下し、図１１の窓部の表示内容のように「３，５」とし、最後に「ＯＫ」を押下して入力する。この例では「束最終紙」は３ページ目のＡ３と５ページ目のＢ２になる。ただし、ここで示した入力するための画面や入力方法は１例であってこれに限るものではない。
【００６０】
また、区切り情報については、特開２００１−２６５１６４に記載のように原稿Ｓに付した目印としての識別マークを画像読取部１０で読み取って取得することも可能である。また、識別マークの代わりにこれもまた目印としての特殊紙Ｔを複数の原稿Ｓの区切りを所望するページ間に挿入しておき、原稿面を連続して読み取りながら特殊紙Ｔを読取ることで取得することも可能である。ここで言う特殊紙Ｔとは、制御手段１で区切りを認識可能にされたものであればよく、たとえばバーコードを記したものや特定の画像、パターンを記したものや色紙等でよい。また、特殊紙Ｔを用いることで原稿Ｓを汚すことがない。
【００６１】
ここで、特殊紙Ｔを用いた場合の１例を示し説明する。図１２に、原稿Ａ１，Ａ２，Ａ３，Ｂ１，Ｂ２，Ｃ１，Ｃ２の原稿束としての区切りに特殊紙Ｔを挿入した様子を示す。この原稿を自動両面原稿搬送部１００を用いて１ページ毎に読取る。図１３のフローチャートに示すように、そのページの画像データは記憶手段３に記憶する（Ｓ６０１）。紙詰まり等のエラーをせず（Ｓ６０２）原稿読取りを正常に終了したら（Ｓ６０３）、特殊紙Ｔか否かの判定を行なう（Ｓ６０４）。特殊紙Ｔか否かの判定は、例えば特殊紙Ｔが色紙であれば、画像の地肌情報がある特定の閾値を超えているか否かで判定できる。閾値は予め読み込ませておき記憶手段３の所定のテーブル等に格納しておけばよい。また、特殊紙Ｔがバーコードを記したものや特定の画像、パターンを記したものであれば、それを認識して特殊紙Ｔと判定することができる。特殊紙Ｔであった場合には、特殊紙Ｔのページの画像データは画像形成の対象ではないのでその画像データを削除し、その前のページが「束最終紙」であるという区切り情報を例えば記憶手段３の所定のデーブル等に記録しておく。この記録に基づき図１０ステップＳ５０２に示す属性として付与されることになる。特殊紙Ｔでなかった場合には、画像データをそのまま記憶しておき、次ページがあれば次ページを読取る。
【００６２】
また、原稿Ｓに識別マークを付した場合には、識別マークを認識しそのページが「束最終紙」であるという区切り情報を例えば記憶手段３の所定のデーブル等に記録しておけば良い。また、この場合識別マークをそのページの画像データに残しても良いし、そのページの画像データから削除することも可能である。
【００６３】
またさらに、このＪＯＢを外部の情報処理装置９０で作成する際に、プリンタドライバの図示しない画面を用いて「束最終紙」となるページを操作表示パネル２で示した方法と同様にして入力し、外部の情報処理装置９０からインターフェイス８０を介して画像データと区切り情報等を含む設定データからなる画像情報を送信して行うことも可能である。
【００６４】
（分割ステイプル機能▲１▼）
次に、ステップＳ５０２、Ｓ５０３について説明する。まず、ステップＳ５０２、Ｓ５０３で行なわれる画像形成および後処理の一例としての分割ステイプル機能▲１▼について説明する。
【００６５】
これは、画像データを区切り情報に基づいて分割し、分割したそれぞれの画像データを原稿束として該原稿束毎に転写紙Ｐに画像形成し、その原稿束が画像形成された前記転写紙Ｐ毎にステイプル処理等の後処理をして出力するものであり、複数部を出力する部数が入力された場合には、原稿束をそれぞれ１部ずつ転写紙Ｐに行なう画像形成をさらに入力された出力する部数に達するまで繰り返して行なうものである。具体的には、上述のＡ１，Ａ２，Ａ３，Ｂ１，Ｂ２，Ｃ１，Ｃ２からなる原稿Ｓの画像データからなるＪＯＢを例えば３部出力する際に、図４（ａ）の出力状態を模式的に示した説明図のように、原稿束Ａ、Ｂ、Ｃでそれぞれステイプルして原稿束Ａ、Ｂ、Ｃの順で順次出力しながら設定部数の３部を出力するものである。この機能によれば、一つの画像データが原稿束Ａ、Ｂ、Ｃで分割されてステイプルされ、さらにそれぞれの束を各１部ずつ含んだ形態で複数部の出力が得られる。ちなみに本例では、Ａ３とＢ１の間およびＢ２とＣ１の間で分割するように区切り情報が与えられている。
【００６６】
まず、ＪＯＢが実行されると、図３において給紙カセット４１内のいずれか所望の転写紙Ｐを順次給紙して、主に画像形成部３０等を通過してＣ２〜Ａ１の順に繰り返して設定部数（本例では３部）の画像形成がなされ複写後処理部７０の処理ステージ７４へ送られる（本例ではステイプルを行うので処理ステージ７４へ送るが、後処理を行わない場合には切り替えゲート７１１を切り替えて共通トレイ７２へ送る）。この時、上述の区切り情報または設定部数に基づいて各転写紙Ｐには属性が付与される。ここでいう属性は、「束最終紙」、「部数最終紙」、「ＪＯＢ最終紙」であり、図５に示すフローチャートに従って、例えば１部目のＣ２は、Ｓ１０１〜Ｓ１０３のいずれもＮＯであるから属性は付与されず（Ｓ１０７）、また、１部目のＣ１はＳ１０１、Ｓ１０２はＮＯであり原稿束の区切りであるので（Ｓ１０３）「束最終紙情報」（Ｓ１０６）が、１部目のＡ１はＳ１０１がＮＯであり１部目の区切りであるので（Ｓ１０２）「部数最終紙情報」（Ｓ１０５）が、３部目のＡ１はＪＯＢの終了であるので（Ｓ１０１）「ＪＯＢ最終紙情報」（Ｓ１０４）が付与され、図４（ｂ）に示す付与属性のようになる。
【００６７】
そして、この付与された属性に従い、転写紙Ｐは複写後処理部７０で、図６に示すフローチャートに従い処理される。例えば１部目のＣ２は、Ｓ２０１〜Ｓ２０３のいずれもＮＯであるから処理ステージ７４に送ったままにして（Ｓ２０７）、また、１部目のＣ１はＳ２０１、Ｓ２０２はＮＯであり原稿束の区切りの「束最終紙情報」を付与されているので（Ｓ２０３）ステイプルを行い排紙し（Ｓ２０６）、１部目のＡ１はＳ２０１がＮＯであり１部目の区切りの「部数最終紙情報」を付与されているので（Ｓ２０２）ステイプルを行い排紙し、排紙トレイ７３移動する（Ｓ２０５）、３部目のＡ１はＪＯＢの終了である「ＪＯＢ最終紙情報」が付与されているので（Ｓ２０１）ステイプルを行い排紙する（Ｓ２０４）。この様にして図４（ａ）の出力状態に示すようにステイプルされて積載されるので、作業者がわざわざ原稿を分割して、それぞれにＪＯＢを作成して、さらに仕分け作業を行うことなく、一つＪＯＢを実行するだけで簡単に所望のように分割されステイプルされ仕分けされた出力を得ることが可能となる。
【００６８】
また、図４（ａ）に示すように、さらに「部数最終紙情報」が付与されているとき排紙トレイ７３を移動させて、ステイプルされた転写紙Ｐの積載位置をずらすようにしている。これにより、作業者は容易に１部毎に分けることが可能となる。また、「束最終紙情報」および「部数最終紙情報」が付与されているとき排紙トレイ７３移動させることにより、作業者は容易にステイプルされた転写紙Ｐ毎に分けることが可能となる。また、「束最終紙情報」または「部数最終紙情報」が付与されているとき排紙トレイ７３移動させることにより、作業者は容易にステイプルされた転写紙Ｐ毎に分けることが可能となる。しかし、排紙トレイ７３移動せず束毎にずらす必要が無い場合には排紙トレイ３７を移動させる制御を行なわなくても良い。また、この様な積載方法については、転写紙Ｐの束を上述のようにずらして積載する場合を「オフセット有り」、ずらさない場合を「オフセット無し」として、操作表示パネル２からの入力、または、情報処理装置９０でのＪＯＢ作成時に入力して選択できるようにすれば利便性が向上する。
【００６９】
（分割ステイプル機能▲２▼）
また、ステップＳ５０２、Ｓ５０３で行なわれる画像形成および後処理の別の一例としての分割ステイプル機能▲２▼について説明する。
【００７０】
これは、画像データを区切り情報に基づいて分割し、分割したそれぞれの画像データを原稿束として該原稿束毎に該原稿束を入力された部数に達するまで繰り返して画像形成を行ない、原稿束が画像形成された転写紙Ｐ毎にステイプル処理等の後処理をして出力するものである。具体的には、上述のＡ１，Ａ２，Ａ３，Ｂ１，Ｂ２，Ｃ１，Ｃ２からなる原稿Ｓの画像データからなるＪＯＢを例えば３部出力する際に、図７（ａ）の出力状態を模式的に示した説明図のように、Ａ、Ｂ、Ｃの原稿束毎にそれぞれ設定部数の３部をステイプルして出力するものである。この機能によれば、ＪＯＢの画像データがＡ、Ｂ、Ｃの原稿束に分割されてステイプルされ、さらにそれぞれの原稿束毎に設定部数まとめられた形態で複数部の出力が得られる。ちなみに本例では、Ａ３とＢ１の間およびＢ２とＣ１の間で分割するように区切り情報が与えられている。
【００７１】
まず、ＪＯＢが実行されると、給紙カセット４１内のいずれか所望の転写紙Ｐを順次給紙して、主に画像形成部３０等を通過して原稿束Ｃの画像形成が設定部数（本例では３部）なされ複写後処理部７０の処理ステージ７４へ送られる（本例ではステイプルを行うので処理ステージ７４へ送るが、後処理を行わない場合には切り替えゲート７１１を切り替えて共通トレイ７２へ送る）。さらに、原稿束Ｂ、Ａの画像形成を原稿束Ｃと同様に行う。この時、上述の区切り情報または設定部数に基づいて各転写紙Ｐには属性が付与される。ここでいう属性は、「部数最終紙」、「束最終紙」、「ＪＯＢ最終紙」であり、図８に示すフローチャートに従って、例えば原稿束Ｃの１部目のＣ２は、Ｓ３０１〜Ｓ３０３のいずれもＮＯであるから属性は付与されず（Ｓ３０７）、また、原稿束Ｃの１部目のＣ１はＳ３０１、Ｓ３０２はＮＯであり部の区切りであるので（Ｓ３０３）「部最終紙情報」（Ｓ３０６）が、原稿束Ｃの３部目のＣ１はＳ３０１がＮＯであり原稿束の区切りであるので（Ｓ３０２）「束最終紙情報」（Ｓ３０５）が、原稿束Ａの３部目のＡ１はＪＯＢの終了であるので（Ｓ３０１）「ＪＯＢ最終紙情報」（Ｓ３０４）が付与され、図７（ａ）に示す付与属性のようになる。
【００７２】
この付与された属性に従い、転写紙Ｐは複写後処理部７０で、図９に示すフローチャートに従い処理される。例えば原稿束Ｃの１部目のＣ２は、Ｓ４０１〜Ｓ４０３のいずれもＮＯであるから処理ステージ７４に送ったままにして（Ｓ４０７）、また、また、原稿束Ｃの１部目のＣ１はＳ４０１、Ｓ４０２はＮＯであり部の区切りの「部最終紙情報」を付与されているので（Ｓ４０３）ステイプルを行い排紙し（Ｓ４０６）、Ｃ束３部目のＣ１はＳ４０１がＮＯであり束の区切りの「束最終紙情報」を付与されているので（Ｓ４０２）ステイプルを行い排紙し、排紙トレイ７３移動する（Ｓ４０５）、原稿束Ａの３部目のＡ１はＪＯＢの終了である「ＪＯＢ最終紙情報」が付与されているので（Ｓ４０１）ステイプルを行い排紙する（Ｓ４０４）。この様にして図７（ａ）の出力状態に示すようにステイプルされて積載され、作業者がわざわざ原稿を分割して、それぞれにＪＯＢを作成することなく、１つＪＯＢを実行するだけで簡単に所望のように分割されステイプルされて仕分けされた出力を得ることが可能となる。
【００７３】
また、図７（ａ）に示すように、さらに「束最終紙情報」が付与されているとき排紙トレイ７３を移動させて、原稿束Ｃ、Ｂ、Ａ毎に転写紙Ｐの積載位置をずらすようにしている。これにより、作業者は容易に分割された原稿束毎に分けることが可能となる。また、「束最終紙情報」または「部数最終紙情報」が付与されているとき排紙トレイ７３移動させることにより、作業者は容易にステイプルされた転写紙Ｐ毎に分けることが可能となる。しかし、排紙トレイ７３移動せず原稿束毎にずらす必要が無い場合にはずらさなくても良い。また、この様な積載方法については、転写紙Ｐの束を上述のようにずらして積載する場合を「オフセット有り」、ずらさない場合を「オフセット無し」として、操作表示パネル２からの入力、または、情報処理装置９０でのＪＯＢ作成時に入力して選択できるようにすれば利便性が向上する。
【００７４】
また、本例の説明では、分割ステイプル機能▲１▼と分割ステイプル機能▲２▼を分けて説明したが、例えば操作表示パネル２または情報処理装置９０に出力形態を選択するための入力が可能な第３の入力手段としての機能を持たせ、分割ステイプル機能▲１▼の出力形態と分割ステイプル機能▲２▼の出力形態のいずれかの出力形態を操作表示パネル２からの入力または情報処理装置９０でのＪＯＢ作成時に入力して選択し、その選択された出力形態応じ分割ステイプル機能▲１▼または分割ステイプル機能▲２▼のいずれかで出力できるようにすれば、用途により所望の仕分けで出力でき利便性が向上する。
【００７５】
また、上述の説明では、すべての原稿束にステイプルを行ったが、原稿束毎のステイプルの実施または不実施を例えば操作表示パネル２または情報処理装置９０に原稿束のそれぞれについてステイプルの実施または不実施のいずれか１つを選択するための入力が可能な第４の入力手段としての機能を持たせ、操作表示パネル２からの入力または情報処理装置９０でのＪＯＢ作成時に実施または不実施を入力して設定できるようにして、その入力に基づいて行うようにしても良い。例えば、原稿束Ａ、原稿束Ｃにはステイプルを実施し、原稿束Ｂはステイプルをしないように出力することで、ステイプルを不要とする原稿も一つのＪＯＢに含ませることができるのでさらに利便性が増す。また、区切り情報に従って分割した結果１ページの転写紙となった場合には、言うまでも無くステイプルは行わずに排紙する。
【００７６】
また、図２に示すように、情報処理装置９０を画像形成装置とインターフェイス８０を介して接続される構成にし、第１の入力手段としての機能、第２の入力手段としての機能、第３の入力手段としての機能または第１の入力手段としての機能を有する情報処理装置として説明したが、情報処理装置としては、本実施の形態の画像形成装置または図２に示す情報処理装置９０とは図示しないネットワークを介して接続されるＰＣ（Ｐｅｒｓｏｎａｌ　Ｃｏｍｐｕｔｅｒ）であっても良い。
【００７７】
ちなみに、上記したような作用ないし効果は、本実施形態のように複写装置に適用して享受し得るだけでなく、複写機能、ファクシミリ機能及びプリンタ機能等を搭載する複合機（画像形成装置）に対して適用することも当然に可能である。
【００７８】
【発明の効果】
以上説明したように、本発明の画像形成装置によれば、所望のページで分割した画像データのそれぞれを画像形成した記録媒体を、各々ステイプルして出力できるようにして作業効率を向上することができる画像形成装置を提供することができる。
【００７９】
また、前記各々ステイプルされた記録媒体を複数部出力する場合に、ステイプルされた記録媒体を所定の順序で仕分けし出力して作業効率をさらに向上させることが可能な画像形成装置を提供することができる。
【図面の簡単な説明】
【図１】本実施形態に係る複写装置の構造例を示す概要図である。
【図２】本実施形態に係る複写装置の電気的な構成例を示す概要図である。
【図３】本実施形態に係る複写後処理部の構造例を示す概要図である。
【図４】（ａ）は画像データの出力状態の一例を示し、（ｂ）は付与属性の一例について示す説明図である。
【図５】属性付与の一例を示すフローチャートである。
【図６】ステイプル機能の一例を示すフローチャートである。
【図７】（ａ）は画像データの出力状態の一例を示し、（ｂ）は付与属性の一例について示す説明図である。
【図８】属性付与の一例を示すフローチャートである。
【図９】ステイプル機能の一例を示すフローチャートである。
【図１０】設定データに区切り情報に基づくステイプル処理等の後処理に関するフローチャートである。
【図１１】操作表示パネルに表示する画面の一例を示す図である。
【図１２】特殊紙を原稿に挿入した様子を示す図である。
【図１３】特殊紙を用いた区切り情報の入力の一例を示すフローチャートである。
【符号の説明】
１　　制御手段
２　操作表示パネル
２ａ　タッチパネル
２ｂ　ＬＣＤ
３　記憶手段
１０　画像読取部
２０　画像書込部
３０　画像形成部
４０　転写紙搬送部
５０　転写紙排紙部
６０　転写紙反転部
７０　複写後処理部
７１　複写後搬送部
７２　共通トレイ
７３　排紙トレイ
７４　処理ステージ
７５　ステイプル手段
８０　インターフェイス
９０　情報処理装置
Ｐ　転写紙
【図１】
2004051232.tif 000003
【図２】
2004051232.tif 000004
【図３】
2004051232.tif 000005
【図４】
2004051232.tif 000006
【図５】
2004051232.tif 000007
【図６】
2004051232.tif 000008
【図７】
2004051232.tif 000009
【図８】
2004051232.tif 000010
【図９】
2004051232.tif 000011
【図１０】
2004051232.tif 000012
【図１１】
2004051232.tif 000013
【図１２】
2004051232.tif 000014
【図１３】
2004051232.tif 000015